(57)【要約】【課題】筒軸（デファレンシャル１のサイドギア１０，１１）と回転軸（ドライブシャフト２，３）とをスプライン嵌合により連結する構造において、比較的簡単に着脱できるようにしたうえで、前記スプライン嵌合部分における回転方向のガタを無くす。【解決手段】回転軸（２，３）のオススプライン２ａ，３ａにおける円周等間隔の少なくとも二つの歯２ａ１・・・，３ａ１・・・について、所定のリード角θを付与して捩れた形状としている。筒軸（１０，１１）のメススプライン１０ｂ，１１ｂは、すべての歯１０ｂ１，１１ｂ１および溝１０ｂ２，１１ｂ２が軸方向Ｏに沿う直線形状とされている。捩れ歯２ａ・・・，３ａ１・・・のみが、圧入嵌め合いとされている。【選択図】図５
2007285474.tif 000002
【特許請求の範囲】
【請求項１】
筒軸に回転軸をスプライン嵌合して連結した構造であって、
前記回転軸外周のオススプラインまたは筒軸内周のメススプラインのいずれか一方に、所定のリード角の付与された捩れ歯が円周等間隔の少なくとも二箇所に設けられ、他方スプラインの歯および溝が軸方向に沿う直線形状とされ、前記捩れ歯のみが圧入嵌め合いとされていることを特徴とするスプライン連結構造。
【請求項２】
請求項１において、前記捩れ歯以外の歯が、滑動嵌め合いとされることを特徴とするスプライン連結構造。
【請求項３】
請求項１または２において、前記捩れ歯の片側隣に配置される歯の厚みは、当該歯において前記捩れ歯と対向する歯面が遠ざかる方向に後退されることで、それら以外の歯の厚みより小さくされることを特徴とするスプライン連結構造。
【請求項４】
請求項１または２において、前記捩れ歯の片側隣は、欠歯とされることを特徴とするスプライン連結構造。
【請求項５】
請求項１から４のいずれかにおいて、前記筒軸は、デファレンシャルに備えるサイドギアとされ、前記回転軸は、前記サイドギアに連結されるドライブシャフトとされることを特徴とするスプライン連結構造。
【請求項６】
請求項１から５のいずれかにおいて、前記回転軸側に前記捩れ歯が設けられ、前記筒軸側のメススプラインの歯および溝が軸方向に沿う直線形状とされることを特徴とするスプライン連結構造。
【発明の詳細な説明】
【技術分野】
【０００１】
本発明は、筒軸と回転軸とをトルク伝達可能に連結するためのスプライン連結構造に関する。なお、スプライン連結構造を適用する場所としては、例えば自動車等の車両に搭載されるデファレンシャルのサイドギア（筒軸）と車輪に連結されるドライブシャフト（回転軸）との連結部分や、前記ドライブシャフトを構成する中間軸とその両端に設けられる各等速自在継手の内輪との連結部分等、その他いろいろな場所に適用できる。
【背景技術】
【０００２】
一般的に、例えばデファレンシャルのサイドギアとドライブシャフトとはスプライン嵌合により連結されるようになっている（例えば特許文献１参照。）。
【０００３】
サイドギアに設けられるメススプラインとドライブシャフトに設けられるオススプラインとを自由嵌め合い、つまりルーズフィット状態で嵌合させるようにしていれば、そのスプライン嵌合作業を簡単かつ素早く行えるものの、前記スプライン嵌合部分に回転方向の隙間が生ずることになる。
【０００４】
その場合、例えばエンジンからデファレンシャルに入力された回転動力をドライブシャフトに伝達する際に、サイドギアとドライブシャフトとの間で回転方向にガタが発生することになり、車両走行時に振動、騒音ならびに加速ショック等が発生する等、走行性能が低下することが懸念される。
【０００５】
これに対する第１の従来例として、回転軸のオススプラインにおけるすべての歯にリード角を付与し、筒軸のメススプラインにおけるすべての溝を軸方向に沿う直線形状とすることにより、オススプラインとメススプラインとを圧入嵌め合いとすることで、スプライン嵌合部分における回転方向の隙間を無くすようにすることが知られている（例えば特許文献２参照。）。
【０００６】
また、第２の従来例として、例えば回転軸のオススプラインの歯を軸方向で二分割とし、この二分割にした一方のオススプライン歯と他方のオススプライン歯とを円周方向にオフセットすることにより、これら両オススプライン歯を筒軸のメススプラインの溝に対して円周方向に圧接させる圧入嵌め合いにさせることで、スプライン嵌合部分における回転方向の隙間を無くすようにする技術が知られている（例えば特許文献３参照。）。
【０００７】
これらの従来例の回転軸を上記ドライブシャフトに、また、従来例の筒軸をデファレンシャルのサイドギアにそれぞれ置き換えれば、上記デファレンシャルのサイドギアとドライブシャフトとにおける回転方向のガタを無くすことが可能になると考えられる。
【特許文献１】特開平７−５４９５９号公報
【特許文献２】実公平６−３３２２０号公報
【特許文献３】特開２００１−３９４７号公報
【発明の開示】
【発明が解決しようとする課題】
【０００８】
上記いずれの従来例においても、筒軸（サイドギアに相当）のメススプラインのすべての歯と回転軸（ドライブシャフトに相当）のオススプラインのすべての歯とを圧入嵌め合いとする必要があるために、ドライブシャフトの着脱時に例えばスライディングハンマー等の工具を使用する必要があり、作業が面倒で手間がかかることが指摘される。
【０００９】
しかも、上記第２の従来例では、前記二分割した一方のオススプライン歯と他方のオススプライン歯とにおける円周方向のオフセット量について、サイドギアとドライブシャフトとのスプライン嵌合部分における比較的微小な回転方向隙間を無くすのに必要な寸法とする必要があって、きわめて高精度な加工が要求されることが指摘される。
【００１０】
本発明は、筒軸に回転軸をスプライン嵌合により連結する構造において、比較的簡単に着脱できるようにしたうえで、スプライン嵌合部分における回転方向のガタを無くすことを目的としている。
【課題を解決するための手段】
【００１１】
本発明は、筒軸に回転軸をスプライン嵌合して連結した構造であって、前記回転軸外周のオススプラインまたは筒軸内周のメススプラインのいずれか一方に、所定のリード角の付与された捩れ歯が円周等間隔の少なくとも二箇所に設けられ、他方スプラインの歯および溝が軸方向に沿う直線形状とされ、前記捩れ歯のみが圧入嵌め合いとされていることを特徴としている。
【００１２】
なお、捩れ歯以外の歯は、滑動嵌め合い、または自由嵌め合いとすることができる。前記圧入嵌め合い、滑動嵌め合い、自由嵌め合いは、ＪＩＳ規格にて定義される嵌め合いの状態を示す用語である。
【００１３】
この構成によれば、一方スプラインにおける捩れ歯と相手スプラインの歯とが円周方向に隙間無く当接する状態になるから、筒軸と回転軸とにおける円周方向でのガタを無くすことが可能になる。
【００１４】
要するに、筒軸と回転軸とのスプライン嵌合部分について、大半を滑動嵌め合いまたは自由嵌め合いとしながら、一部分のみを圧入嵌め合いとしているから、回転軸の着脱時における押し込み荷重あるいは引き抜き荷重を、すべての歯を自由嵌め合いとする場合に比べて僅かに強くする必要があるものの、従来例のようにすべての歯を圧入嵌め合いとする場合に比べて弱くすることが可能になり、着脱作業を簡単かつ迅速に行うことが可能となる。
【００１５】
仮に、捩れ歯を円周等間隔の三箇所に設けるようにすれば、それらによる調心作用でもって筒軸と回転軸とを嵌め合わせるだけでそれらが自動的に芯合わせされることになるから、回転軸の回転振れを低減するうえで有利となる。
【００１６】
好ましくは、前記捩れ歯以外の歯が、滑動嵌め合いとされる。
【００１７】
この構成によれば、筒軸（サイドギア）から回転軸（ドライブシャフト）へのトルク伝達時に、滑動嵌め合いによる小さな隙間分だけ捩れ歯が弾性変形することで両スプラインがすべての歯で噛み合って一体化されるようになる。これにより、筒軸（サイドギア）に対する回転軸（ドライブシャフト）の着脱作業の容易性を維持したうえで、捩れ歯以外の歯を自由嵌め合いとする場合に比べて、捩れ歯に対する負荷荷重を軽減できるようになり、耐久性向上に貢献できる。
【００１８】
好ましくは、前記捩れ歯の片側隣に配置される歯の厚みは、当該歯において前記捩れ歯と対向する歯面が遠ざかる方向に後退されることで、それら以外の歯の厚みより小さくされる。また、前記捩れ歯の片側隣は、欠歯とされる。
【００１９】
このように構成すれば、捩れ歯の片側隣に配置される歯を、相手スプラインに対し自由嵌め合いとすることが可能になる。
【００２０】
好ましくは、前記筒軸は、デファレンシャルに備えるサイドギアとされ、前記回転軸は、前記サイドギアに連結されるドライブシャフトとされる。
【００２１】
なお、ドライブシャフトは、アクスルシャフトと呼ばれるものであってもかまわない。というのは、ドライブシャフトもアクスルシャフトも、要するに、デファレンシャルに入力される回転動力を車輪に伝達するものであるからである。参考までに、当業者間では、ドライブシャフトは、その途中に継手が設けられるものであり、また、アクスルシャフトは、その途中に継手が設けられていないものである、と認識されている。
【００２２】
この構成によれば、サイドギアとドライブシャフトとのスプライン嵌合部分における円周方向でのガタを無くした状態で連結することが可能になるから、デファレンシャルを搭載する車両等の走行時に振動、騒音ならびに加速ショック等を低減することが可能になる等、走行性能の向上に貢献できる。
【００２３】
好ましくは、前記回転軸側に前記捩れ歯が設けられ、前記筒軸側のメススプラインの歯および溝が軸方向に沿う直線形状とされる。
【００２４】
この構成によれば、回転軸の外周に設けられるオススプラインに細工を施すほうが、筒軸の内周に設けられるメススプラインに細工を施す場合に比べて、例えば転造加工等で簡単に製造できるようになると言え、製造効率が向上し、安価に提供できるようになる。
【発明の効果】
【００２５】
本発明によれば、比較的簡単に着脱できるようにしたうえで、筒軸（サイドギア）と回転軸（ドライブシャフト）とのスプライン嵌合部分における回転方向のガタを無くすことが可能となる。したがって、トルク伝達時に振動、騒音ならびにショック等を低減することが可能になる。
【発明を実施するための最良の形態】
【００２６】
以下、本発明の実施形態を図面に基づいて説明する。
【００２７】
図１から図５に本発明の一実施形態を示している。図中、１はデファレンシャル、２，３はドライブシャフトである。
【００２８】
この実施形態でのデファレンシャル１は、図示していないが後輪駆動タイプの自動車等の後輪側に配置されるもので、トランスミッションから出力される回転動力を、左右一対のドライブシャフト２，３を介して左右の後輪に伝達するものである。
【００２９】
そして、デファレンシャル１は、一般的に公知のツーピニオンタイプとされており、主として、入力軸５、デフケース６、リングギア７、二つ一対のピニオンギア８，９、二つ一対のサイドギア１０，１１、デフキャリア１２等を含む構成である。
【００３０】
一対のドライブシャフト２，３は、その外周面において軸方向内端側の所定長さ範囲のみにオススプライン２ａ，３ａが設けられ、それよりも軸方向外端側領域が円形とされている。
【００３１】
入力軸５は、その外端にトランスミッションの出力軸となるプロペラシャフト（図示省略）等が連結され、また、その内端にドライブピニオン５ａが一体的に設けられている。この入力軸５は、デフキャリア１２内に転がり軸受１３・・・を介して回転自在に支持されている。
【００３２】
デフケース６は、デフキャリア１２の左右二つの貫通孔１２ａ，１２ｂにそれぞれ転がり軸受１４・・・を介して相対回転可能に支持されている。
【００３３】
このデフケース６は、有底円筒形のケース本体６Ａと、このケース本体６Ａの開口に取り付けられる蓋状プレート６Ｂとを組み合わせて構成される。ケース本体６Ａの底部には、ボス部６ａが、また、蓋状プレート６Ｂの中央には、ボス部６ｂがそれぞれ設けられており、これら各ボス部６ａ，６ｂの外周面と、デフキャリア１２の貫通孔１２ａ，１２ｂの内周面との間に転がり軸受１４・・・が介装されている。
【００３４】
リングギア７は、デフケース６の蓋状プレート６Ｂの外周部分にボルト等により一体に固定されており、入力軸５のドライブピニオン５ａに噛合されている。
【００３５】
一対のピニオンギア８，９は、デフケース６の内側にピニオンシャフト１５を介して回転自在に支持されている。ピニオンシャフト１５は、デフケース６のケース本体６Ａにおける周壁部分に径方向に沿うように取り付けられている。
【００３６】
一対のサイドギア１０，１１は、中空軸部１０ａ，１１ａの外周の軸方向中間にかさ歯車を設けた構成である。この一対のサイドギア１０，１１は、そのかさ歯車がデフケース６の内側に配置されて一対のピニオンギア８，９に噛合されている。中空軸部１０ａ，１１ａの軸方向外端側はデフケース６のボス部６ａ，６ｂの内径側に微小隙間を介して回転可能に挿入されている。
【００３７】
一対のサイドギア１０，１１の中空軸部１０ａ，１１ａの内周面には、メススプライン１０ｂ，１１ｂが設けられている。この中空軸部１０ａ，１１ａ内に、一対のドライブシャフト２，３の内端側がスプライン嵌合され、一対のドライブシャフト２，３の円形外周面が、デフケース６の一対のボス部６ａ，６ｂの内周面に対し相対回転可能にすきま嵌めされるようになっている。
【００３８】
なお、オススプライン２ａ，３ａやメススプライン１０ｂ，１１ｂは、角形スプラインとされるが、インボリュートスプラインであってもよい。
【００３９】
このような構成のデファレンシャル１の動作については基本的に公知のとおりであるので、ここでは簡単に説明する。
【００４０】
まず、車両が直進している場合には、入力軸５に回転動力が入力されると、ドライブピニオン５ａとリングギア７との噛合部分を通じてデフケース６が回転し、このデフケース６と一体的に一対のピニオンギア８，９が公転することにより、一対のサイドギア１０，１１および一対のドライブシャフト２，３が回転駆動されるので、左右の後輪が同一回転数で駆動される。
【００４１】
一方、車両のカーブ走行等によって、左右の後輪間に回転抵抗差が生じたときに、一対のピニオンギア８，９が自転することになって、両サイドギア１０，１１が差動回転することになるので、入力軸５から入力される回転動力が左右のドライブシャフト２，３を介して左右の後輪に差動分配されるようになる。
【００４２】
ここで、本発明の特徴を適用している部分について詳細に説明する。
【００４３】
要するに、図４および図５に示すように、一対のドライブシャフト２，３のオススプライン２ａ，３ａにおける円周等間隔（１２０度おき）の三箇所の歯２ａ１・・・，３ａ１・・・を、中心軸線Ｏに対し所定のリード角θを付与した捩れ歯とすることによって、一対のドライブシャフト２，３を一対のサイドギア１０，１１に回転方向にガタなく連結するようにしている。
【００４４】
一対のドライブシャフト２，３のオススプライン２ａ，３ａにおける円周等間隔の三つの捩れ歯２ａ１・・・，３ａ１・・・以外の歯２ａ３・・・，３ａ３・・・は、軸方向に沿う直線形状とされている。
【００４５】
一対のサイドギア１０，１１の中空軸部１０ａ，１１ａのメススプライン１０ｂ，１１ｂは、そのすべての歯１０ｂ１・・・，１１ｂ１・・・および溝１０ｂ２・・・，１１ｂ２・・・が軸方向に沿う直線形状とされている。
【００４６】
この実施形態では、オススプライン２ａ，３ａおよびメススプライン１０ｂ，１１ｂにおけるすべての歯先とすべての溝底との径方向対向部分に、正の隙間が設けられるように設定されている。
【００４７】
そして、オススプライン２ａ，３ａにおける三つの捩れ歯２ａ１・・・，３ａ１・・・のみが、メススプライン１０ｂ，１１ｂに圧入嵌め合いとされている。
【００４８】
このような圧入嵌め合いとすれば、三つの捩れ歯２ａ１・・・，３ａ１・・・と、それに当接するメススプライン１０ｂ，１１ｂの歯１０ｂ１・・・，１１ｂ１・・・とにおける円周方向対向隙間は、負の隙間とされる。
【００４９】
また、オススプライン２ａ，３ａにおいて三つの捩れ歯２ａ１・・・，３ａ１・・・以外の歯２ａ３・・・，３ａ３・・・は、メススプライン１０ｂ，１１ｂに滑動嵌め合いとされている。
【００５０】
このように滑動嵌め合いとすれば、ＪＩＳ規格で定義されているようにオススプライン２ａ，３ａの歯面とメススプライン１０ｂ，１１ｂの歯面との間に小さい隙間が存在する状態になる。この隙間は、オススプライン２ａ，３ａにおいて三つの捩れ歯２ａ１・・・，３ａ１・・・以外の歯２ａ３・・・，３ａ３・・・が、メススプライン１０ｂ，１１ｂの溝１０ｂ２・・・，１１ｂ２・・・内を軸方向に滑動する程度の隙間とされる。換言すれば、ジャストフィットに近いルーズフィットであると言える。
【００５１】
さらに、図４に示すように、捩れ歯２ａ１・・・，３ａ１・・・の傾斜の形態について、その先端側をメススプライン１０ｂ，１１ｂの溝１０ｂ２・・・，１１ｂ２・・・と円周方向で一致させるように配置して、奥側を円周方向一方へ所定量αだけ張り出すような姿勢とされている。
【００５２】
この三つの捩れ歯２ａ１・・・，３ａ１・・・の幅Ｗ１は、それ以外のオススプライン１０ｂ，１１ｂの歯２ａ３・・・，３ａ３・・・の幅と同じとされており、これらのすべての歯の幅Ｗ１に対し、メススプライン１０ｂ，１１ｂの溝１０ｂ２・・・，１１ｂ２・・・の幅Ｗ２は上述したような滑動嵌め合いとなるように設定される。
【００５３】
なお、メススプライン１０ｂ，１１ｂの歯１０ｂ１・・・，１１ｂ１・・・の幅とオススプライン２ａ，３ａの溝２ａ４・・・，３ａ４・・・の幅との関係についても、前記同様に設定される。
【００５４】
但し、オススプライン２ａ，３ａにおける三つの捩れ歯２ａ１・・・，３ａ１・・・の片側隣に配置される歯２ａ２・・・，３ａ２・・・の厚みＷ３については、当該歯２ａ２・・・，３ａ２・・・において捩れ歯２ａ１・・・，３ａ１・・・と対向する側の歯面を遠ざかる方向に所定量β後退させることで、それら以外の歯２ａ３・・・，３ａ３・・・の厚みＷ４より小さくされている。
【００５５】
この後退量βは、前記張り出し量αと同じに設定されるが、適宜、β＞α、β＜αとすることも可能である。
【００５６】
具体的に、β＝αとした場合には、三つの捩れ歯２ａ１・・・，３ａ１・・・の最大張り出し部と、その片側隣の歯２ａ２・・・，３ａ２・・・との間の溝の幅Ｗ５は、オススプライン２ａ，３ａの他の溝２ａ４・・・，３ａ４・・・の幅と同じとなる。
【００５７】
この特定により、例えば図５に示すように、三つの捩れ歯２ａ１・・・，３ａ１・・・がメススプライン１０ｂ，１１ｂの対応する溝に圧入嵌合したときに、そこの締め代（張り出し量α）によってメススプライン１０ｂ，１１ｂの歯１０ｂ１・・・，１１ｂ１・・・が円周方向外側へ弾性変形されたとしても、この弾性変形したメススプライン１０ｂ，１１ｂの歯１０ｂ１・・・，１１ｂ１・・・がオススプライン２ａ，３ａにおける三つの捩れ歯２ａ１・・・，３ａ１・・・の片側隣の歯２ａ２・・・，３ａ２・・・に当接しないようになる。
【００５８】
なお、上記説明において、各スプラインの歯の厚みや溝の幅については、基準ピッチ円の位置で測定されるものとする。
【００５９】
以上説明したように、本発明を適用した実施形態は、サイドギア１０，１１とドライブシャフト２，３とのスプライン嵌合部分を、大半を滑動嵌め合いまたは自由嵌め合い状態として、一部のみを圧入嵌め合い状態とすることにより、サイドギア１０，１１とドライブシャフト２，３との回転方向のガタを無くしている。これにより、デファレンシャル１を搭載する車両等の走行時に振動、騒音ならびに加速ショック等を低減することが可能になる等、走行性能の向上に貢献できるようになる。
【００６０】
しかも、ドライブシャフト２，３の着脱時の押し込み荷重や抜き出し荷重が、従来例のようにオススプラインすべての歯とメススプラインすべての歯とを圧入嵌め合いとする場合に比べて、遥かに軽減することができる。ちなみに、従来では、ドライブシャフトの着脱時にスライディングハンマー等の工具を使用する必要があったが、本発明を適用した上記実施形態では、手作業で行えるようになる等、ドライブシャフト２，３の着脱作業が簡単かつ迅速に行えるようになる。
【００６１】
さらに、この実施形態では、捩れ歯２ａ１・・・，３ａ１・・・を円周等間隔の三箇所に設けているから、それらによる調心作用でもってサイドギア１０，１１とドライブシャフト２，３とを嵌め合わせるだけで、それらが自動的に芯合わせされることになる。これにより、ドライブシャフト２，３の回転振れを可及的に低減することが可能になり、好ましい。
【００６２】
以下、本発明の他の実施形態を説明する。
【００６３】
（１）上記実施形態では、後輪駆動タイプの車両に搭載されるリア側のデファレンシャル１とドライブシャフト２，３との連結構造を例に挙げているが、前輪駆動タイプの車両に搭載されるフロント側のデファレンシャルや、四輪駆動タイプの車両におけるフロント側のデファレンシャルおよびリア側のデファレンシャルと車軸との連結構造にも、本発明を適用することが可能である。
【００６４】
（２）上記実施形態では、デファレンシャル１をツーピニオンタイプとした例を挙げているが、フォーピニオンタイプのデファレンシャルや、その他の形式のデファレンシャルであっても、本発明を適用することが可能である。
【００６５】
（３）上記実施形態でのドライブシャフト２，３のオススプライン２ａ，３ａにおける捩れ歯２ａ１・・・，３ａ１・・・の数や配置については、例えば１８０度対向の二箇所としたり、また、９０度おきの四箇所としたりすることも可能である。
【００６６】
この捩れ歯２ａ１・・・，３ａ１・・・の数を多くする程、捩れ歯２ａ１・・・，３ａ１・・・に対する負荷荷重を軽減できて耐久性が有利になるものの、ドライブシャフト２，３の着脱時の作業性が低下する傾向となる。逆に、上記捩れ歯２ａ１・・・，３ａ１・・・の数を少なくする程、ドライブシャフト２，３の着脱時の作業性が良好となるものの、捩れ歯２ａ１・・・，３ａ１・・・に対する負荷荷重が増大して耐久性が低下する傾向となる。
【００６７】
したがって、捩れ歯２ａ１・・・，３ａ１・・・の数および配置は、着脱作業性と捩れ歯２ａ１・・・，３ａ１・・・の耐久性との関係を考慮すると、上記実施形態で説明したように円周等間隔の三箇所とするのが最も好ましいと考えられる。
【００６８】
（４）上記実施形態では、車両のデファレンシャル１とドライブシャフト２，３との連結構造を例に挙げたが、その他、筒軸と回転軸とをスプライン嵌合して連結する構造であれば、そのすべてに本発明を適用することができる。
【００６９】
（５）上記実施形態では、ドライブシャフト２，３（回転軸）のオススプライン２ａ，３ａ側に捩れ歯２ａ１・・・，３ａ１・・・を設けた例を挙げたが、サイドギア１０，１１（筒軸）のメススプライン１０ｂ，１１ｂ側に前記同様の捩れ歯を設けることも可能である。
【００７０】
（６）上記実施形態では、ドライブシャフト２，３のオススプライン２ａ，３ａにおける捩れ歯２ａ１・・・，３ａ１・・・の片側隣に配置される歯２ａ２・・・，３ａ２・・・の厚みＷ３を、当該歯２ａ２・・・，３ａ２・・・において捩れ歯２ａ１・・・，３ａ１・・・と対向する側の歯面を遠ざかる方向に所定量β後退させることで、相手スプライン１０ｂ，１１ｂの歯１０ｂ１・・・，１１ｂ１・・・を前記片側隣に配置される歯２ａ２・・・，３ａ２・・・に当接させないようにしているが、捩れ歯２ａ１・・・，３ａ１・・・の片側隣に配置される歯２ａ２・・・，３ａ２・・・を無くした状態、つまり欠歯とすることも可能である。
【図面の簡単な説明】
【００７１】
【図１】本発明に係るスプライン連結構造を適用した一実施形態の構成を示す横断面図である。
【図２】図１の（２）−（２）線断面の矢視図である。
【図３】図２の（３）−（３）線断面の矢視図である。
【図４】図１から図３に示す片方のサイドギアと片方のドライブシャフトとを分離した状態を平面展開して示す図である。
【図５】図１から図３に示す片方のサイドギアと片方のドライブシャフトとのスプライン嵌合部分を平面展開して示す図である。
【符号の説明】
【００７２】
１      デファレンシャル
２，３      ドライブシャフト
２ａ，３ａ    ドライブシャフトのオススプライン
２ａ１，３ａ１  オススプラインにおける捩れ歯
２ａ２，３ａ２  捩れ歯の片側隣の歯
２ａ３，３ａ３  オススプラインにおいて捩れ歯以外の歯
２ａ４，３ａ４  オススプラインの溝
５      入力軸
５ａ    ドライブピニオン
６      デフケース
６ａ，６ｂ    デフケースのボス部
７      リングギア
８，９      ピニオンギア
１０，１１      サイドギア
１０ａ，１１ａ    サイドギアの中空軸部
１０ｂ，１１ｂ    サイドギアのメススプライン
１０ｂ１，１１ｂ１  メススプラインの歯
１０ｂ２，１１ｂ２  メススプラインの溝
１２      デフキャリア
【図１】
2007285474.tif 000003
【図２】
2007285474.tif 000004
【図３】
2007285474.tif 000005
【図４】
2007285474.tif 000006
【図５】
2007285474.tif 000007